(57)【要約】      （修正有）【課題】記録ディスクのレーベル面に記録する画像を記録用紙に記録する試し記録モードにおいて、記録用紙にレーベル面に記録するレーベル画像とを記録ディスクを収納するケースに装着するジャケットとして使用されるジャケット画像とを記録することができる画像記録装置を提供する。【解決手段】試し記録モードにおいて、１つの画像データからレーベル画像データＲＧとジャケット画像データＪＧとが生成され、これらのレーベル画像データＲＧとジャケット画像データＪＧとが同じ用紙Ｐ上に記録されるように集約画像データＳＧが作成される。このため、用紙Ｐに無駄な余白が発生しない。【選択図】図１３
2010226281.tif 000002
【特許請求の範囲】
【請求項１】
記録ディスクのレーベル面に記録する画像を記録用紙に試し記録を行う試し記録モードを有する画像記録装置において、
前記試し記録モードが選択されると、入力される画像データの前記記録ディスクのレーベル面に記録する範囲を設定する範囲設定部と、
前記範囲設定部によって設定された前記画像データ上の範囲に基づいて、前記記録ディスクのレーベル面に記録されるレーベル画像データと前記記録ディスクを収納するケースに装着されるジャケットとして使用されるジャケット画像データとを生成する画像データ生成部と、
前記画像データ生成部によって生成された前記レーベル画像データと前記ジャケット画像データとが同一の記録用紙上に記録されるように、両画像データを集約した集約画像データを作成する集約部と、
前記集約部によって作成された前記集約画像データを前記記録用紙に記録する画像記録部と、
を備えたことを特徴とする画像記録装置。
【請求項２】
入力される前記画像データを表示する表示部と、
前記表示部に表示された画像データ上でトリミングを行う範囲の指定を行うトリミング範囲指定部と、
前記トリミング範囲指定部によって指定された範囲のトリミングを行うトリミング処理部と、
前記トリミング処理部によってトリミングされた範囲のトリミング画像データを生成するトリミング画像生成部と、を備え、
前記範囲設定部は、前記トリミング画像生成部によって生成された前記トリミング画像を、前記記録ディスクのレーベル面に記録する画像範囲として設定することを特徴とする請求項１に記載の画像記録装置。
【請求項３】
前記記録用紙のサイズを検出する用紙サイズ検出部と、
前記用紙サイズ検出部によって検出された記録用紙のサイズが、前記集約画像データを記録可能なサイズか否かを判断する判断部と、
前記判断部によって、記録用紙のサイズが前記集約画像データを記録できないサイズと判断された場合は、前記画像記録部によって当該記録用紙に前記レーベル画像データを記録させ、記録用紙のサイズが前記集約画像データを記録できるサイズと判断された場合は、前記画像記録部によって当該記録用紙に前記集約画像データを記録させる制御部と、
を備えたことを特徴する請求項１または２に記載の画像記録装置。
【発明の詳細な説明】
【技術分野】
【０００１】
本発明は、画像処理装置に関するものであり、より詳しくは、ＣＤ（Ｃｏｍｐａｃｔ  Ｄｉｓｃ）等の記録媒体のレーベル面に記録する画像を、用紙に記録して画像確認等を行うお試し記録モードを備えた画像処理装置に関する。
【背景技術】
【０００２】
従来より、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）等の円形状に形成された記録媒体をトレイに載置し、その記録媒体のレーベル面に画像を記録可能な画像記録装置が知られている。
【０００３】
ＣＤ、ＤＶＤ等の記憶領域には、ユーザによって、音楽データ、写真データ、動画データ等の各種データが記憶されている。記憶した各種データを使用しないときにはＣＤ、ＤＶＤ等はケースに収納されている。ユーザはＣＤ、ＤＶＤ等の記憶領域内の各種データの内容を外観で判断するために、レーベル面にその各種データに合った画像を記録する。
【０００４】
このような、ＣＤ、ＤＶＤ等をプレイヤーで複数枚使用していた後に、それぞれの収納するケースに戻す際に、対応するケースがどのケースなのか見分けがつかない場合がある。その為、対応するＣＤ、ＤＶＤ等に合った画像を用紙に記録しジャケット用紙としてケースに収納しておく必要があるが、ジャケット用紙としてジャケットのサイズや画像データの作成、そしてそれらの色を調整しなければならず面倒な作業である。
【０００５】
また、ＣＤ、ＤＶＤ等のレーベル面に画像を記録する場合は、通常の用紙への記録とは異なり、記録媒体に対する画像の記録位置や画像の色、濃度等をより丁寧に設定する必要がある。つまり、通常の用紙への記録においては、ユーザの意図とする色や大きさの画像が記録されなかった場合、再度画像を修正して他の用紙に記録すれば意図とする画像が得られる。しかし、ＣＤ、ＤＶＤ等のレーベル面とは反対側の記憶領域には、写真データ、動画データ等の各種データが記憶されているため、ＣＤ、ＤＶＤ等のレーベル面への記録においては、ユーザの意図する色や大きさの画像が記録されなかった場合、再度画像を修正して新たな他のＣＤ、ＤＶＤ等のレーベル面に記録したとしても、各種データも再度記憶させなければならず面倒であった。
【０００６】
このため、実際に記録したいＣＤ、ＤＶＤ等のレーベル面に画像を記録する前に、用紙に画像を記録することで、ＣＤ、ＤＶＤ等のレーベル面に対する画像の位置や画像の色、濃度等を確認するお試し記録モードという機能を備えた画像記録装置が存在している。また、特許文献１には、お試し記録モードにおいて、葉書に記録する画像を通常の用紙に記録することで、葉書に対する画像の位置や画像の色、濃度が確認できることも記載されている。
【先行技術文献】
【特許文献】
【０００７】
【特許文献１】特開２００６−１０２９９０号公報
【発明の概要】
【発明が解決しようとする課題】
【０００８】
しかしながら、上述した特許文献１に記載されている画像記録装置において、お試し記録モードで用紙に画像を記録した場合、ユーザが設定を行った画像のみしか用紙に記録されないため大きな余白が発生してしまい、用紙の余白が無駄になっていた。ＣＤ、ＤＶＤ等のレーベル面に記録する画像を用紙に記録した場合においても同様の問題が発生する。更に、特許文献１に記載の画像記録装置においては、作成された画像を単にお試し記録するだけで、レーベル面の画像やそれに関連するジャケット用紙の画像に関しての問題は解決されていない。
【０００９】
本発明は、上述した問題を解決するためになされたものであり、レーベル記録用の画像データから容易にジャケット用紙用の画像データを生成できる。更に、ＣＤ、ＤＶＤ等のレーベル面に記録する画像を用紙に記録するお試し記録モードにおいて、レーベル面に記録したいレーベル画像とＣＤ、ＤＶＤ等を収納するケースに装着するジャケットとして使用されるジャケット画像とを記録する。これにより、記録されたジャケット画像を切り取ってケースのジャケットとして使用でき、お試し記録モードにおいて発生する余白を無駄にせず有効に活用することができる画像処理装置を提供することを目的としている。
【課題を解決するための手段】
【００１０】
この目的を達成するために、請求項１に記載の画像記録装置は、記録ディスクのレーベル面に記録する画像を記録用紙に試し記録を行う試し記録モードを有する画像記録装置において、前記試し記録モードが選択されると、入力される画像データの前記記録ディスクのレーベル面に記録する範囲を設定する範囲設定部と、前記範囲設定部によって設定された前記画像データ上の範囲に基づいて、前記記録ディスクのレーベル面に記録されるレーベル画像データと前記記録ディスクを収納するケースに装着されるジャケットとして使用されるジャケット画像データとを生成する画像データ生成部と、前記画像データ生成部によって生成された前記レーベル画像データと前記ジャケット画像データとが同一の記録用紙上に記録されるように、両画像データを集約した集約画像データを作成する集約部と、前記集約部によって作成された前記集約画像データを前記記録用紙に記録する画像記録部と、を備えたことを特徴とするものである。
【００１１】
請求項２に記載の画像記録装置は、請求項１に記載の画像記録装置において、入力される前記画像データを表示する表示部と、前記表示部に表示された画像データ上でトリミングを行う範囲の指定を行うトリミング範囲指定部と、前記トリミング範囲指定部によって指定された範囲のトリミングを行うトリミング処理部と、前記トリミング処理部によってトリミングされた範囲のトリミング画像データを生成するトリミング画像生成部と、を備え、前記範囲設定部は、前記トリミング画像生成部によって生成された前記トリミング画像を、前記記録ディスクのレーベル面に記録する画像範囲として設定することを特徴とするものである。
【００１２】
請求項３に記載の画像記録装置は、請求項１または２に記載の画像記録装置において、前記記録用紙のサイズを検出する用紙サイズ検出部と、前記用紙サイズ検出部によって検出された記録用紙のサイズが、前記集約画像データを記録可能なサイズか否かを判断する判断部と、前記判断部によって、記録用紙のサイズが前記集約画像データを記録できないサイズと判断された場合は、前記画像記録部によって当該記録用紙に前記レーベル画像データを記録させ、記録用紙のサイズが前記集約画像データを記録できるサイズと判断された場合は、前記画像記録部によって当該記録用紙に前記集約画像データを記録させる制御部と、を備えたことを特徴するものである。
【発明の効果】
【００１３】
請求項１に記載の発明によれば、記録ディスクのレーベル面に記録する画像を記録用紙に記録する試し記録モードにおいて、記録用紙にレーベル面に記録するレーベル画像と記録ディスクを収納するケースに装着するジャケットとして使用されるジャケット画像とを記録する。これにより、記録されたジャケット画像を切り取ってケースのジャケットとして使用でき、無駄な余白の発生を解消できる。
【００１４】
請求項２に記載の発明によれば、請求項１に記載の画像記録装置の奏する効果に加え、
表示部に表示された画像データのある範囲をユーザが指定してトリミングすることで、そのトリミングされた範囲のみのトリミング画像データを、試し記録モードにおいて使用する画像データにすることができる。よって、入力された１つの画像データから、ユーザの好みに合わせた様々なレーベル画像データとジャケット画像データとを作成することができる。
【００１５】
請求項３に記載の発明によれば、請求項１または２に記載の画像記録装置の奏する効果に加え、用紙のサイズに応じて記録する画像データを決定することで、用紙のサイズに合った適切な画像データを記録することができる。また、レーベル画像のみの記録では大きな余白が発生する用紙サイズでは、ジャケット画像も記録することで、無駄な余白の発生を解消できる。
【図面の簡単な説明】
【００１６】
【図１】本発明の実施形態における画像記録装置の外観的構成を示した斜視図である。
【図２】本発明の実施形態におけるレーベル記録時の画像記録装置の外観的構成を示した斜視図である。
【図３】画像記録装置の電気的構成を示すブロック部である。
【図４】画像記録装置のメイン処理を示すフローチャートである。
【図５】画像記録装置のお試し記録モード処理を示すフローチャートである。
【図６】画像データが表示部に表示された状態を示す図である。
【図７】表示部に表示された画像データとトリミング範囲とを示す図である。
【図８】トリミング画像データを概念的に示す図である。
【図９】トリミング画像データから生成されるレーベル画像データの生成方法を概念的に示す図である。
【図１０】レーベル画像データを概念的に示す図である。
【図１１】トリミング画像データから生成されるジャケット画像データの生成方法を概念的に示す図である。
【図１２】ジャケット画像データを概念的に示す図である。
【図１３】集約画像データを概念的に示す図である。
【図１４】お試し記録モードにおいて用紙Ｐに記録される内容を概念的に示す図である。
【発明を実施するための形態】
【００１７】
本発明を多機能型の画像記録装置に適用した実施形態について、添付資料を参照して以下に説明する。多機能型の画像記録装置は、プリンタ機能、スキャナ機能、及び、コピー機能等を備えており、公知なものである。
【００１８】
＜外観的構成＞
図１は、本実施形態の画像記録装置１０の外観的構成を示す斜視図である。以下の説明において、図１の画像記録装置１０の手前側を前側とし、矢印左右で示す方向を左右方向（主走査方向）とし、矢印前後で示す方向を前後方向（副走査方向）とし、矢印上下で示す方向を上下方向とする。
【００１９】
図１に示すように、画像記録装置１０は、主に、下部に設けられるプリンタ部２０と、上部に設けられるスキャナ部３０と、正面上部に設けられる操作パネル部４０と、正面に設けられるスロット部５０とを備えている。
【００２０】
プリンタ部２０は、記録用紙Ｐに画像を記録するインクジェット方式のプリンタで構成されており、Ｃ（シアン）、Ｍ（マゼンダ）、Ｙ（イエロー）、Ｋ（ブラック）の４色のインクを使用して、カラー印刷を行うものである。尚、プリンタ部２０は、本発明の画像記録部の一例である。
【００２１】
プリンタ部２０の正面には、開口部２１が形成されている。この開口部２１に給紙トレイ２２及び排紙トレイ２３が上下２段に設けられている。給紙トレイ２２は、記録用紙を積載するためのものである。この給紙トレイ２２に積載された記録用紙は、プリンタ部２０の内部へ給送され、所望の画像が印刷された後に排紙トレイ２３へ排出されるようになっている。
【００２２】
スキャナ部３０は、フラットベッドタイプのスキャナである。原稿カバー３１は、画像形成装置１０の天板として設けられている。その原稿カバー３１の下には、図示しないプラテンガラスが配置されている。原稿を読み取る場合は、原稿カバー３１が上側に開かれ、原稿がプラテンガラス上に載置され、原稿カバー３１が閉じられることで、原稿の読み取り準備が完了する。そして、ユーザにより原稿の読み取りが指示されると、プラテンガラスの下側に設けられている図示しないイメージセンサにより原稿の画像が読み取られる。例えば、原稿に、記録ディスクに記録したい画像が記載されている場合には、この画像がスキャナ部３０によって読み取られる。
【００２３】
操作パネル部４０は、操作キー部４１とＬＣＤ等の表示部４２とで構成されている。操作キー部４１は、数字ボタンやスタートボタン、機能操作ボタン等の各種のボタンを備えている。表示部４２は、ユーザが実行する機能を指示するための機能選択画面を表示することができる。また、表示部４２は、操作手順や実行中の処理の状態を表示すると共に、操作キー部４１の押下に対応する情報を表示することができる。
【００２４】
ユーザは、操作パネル部４０を操作することで、各種機能の設定や動作を実行することができる。例えば、画像を記録する媒体の種類（記録用紙Ｐ又は記録ディスクＤ）及びサイズの設定や、片面印刷モードの設定、両面印刷モードの設定、お試し印刷モード等を、操作パネル部４０を介して指示することができる。
【００２５】
スロット部５０は、記憶媒体である各種小型メモリカードが装填され得るように構成されている。例えば、スロット部５０に小型メモリカードが装填された状態でユーザが操作パネル部４０の操作を行うことにより、小型メモリカードに記憶された画像データが読み出され、その読み出された画像データが表示部４２に表示されたり、記録用紙に印刷されることが可能となる。
【００２６】
また、画像記録装置１０は、記録ディスクＤのレーベル面に、インクジェット方式で画像を記録可能に構成されている。記録ディスクＤのレーベル面に画像を記録する場合には、図２に示すように、着脱式のディスクトレイＴＲに記録ディスクＤが載置された状態で、そのディスクトレイＴＲがユーザによって、開口部２１に副走査方向（前後方向）に挿入される。尚、記録ディスクＤとしては、例えば、Ｃｏｍｐａｃｔ  Ｄｉｓｋ（以下、「ＣＤ」と称す）や、Ｄｉｇｉｔａｌ  Ｖｅｒｓａｔｉｌｅ  Ｄｉｓｋ（以下、「ＤＶＤ」と称す）や、Ｂｌｕ−ｒａｙ  Ｄｉｓｋ（以下、「ＢＤ」と称す）などが該当する。この様な記録ディスクＤは、直径１２０ｍｍの円形型のディスクであり、中心部には回転駆動を行うための開口穴が設けられている。このサイズが最も広く普及しているが、更に小さい直径８０ｍｍのサイズのものも流通している。
【００２７】
＜電気的構成＞
次に、図３を参照して、画像記録装置１０の電気的構成について説明する。図３は、画像記録装置１０の電気的構成を示すブロック図である。図３に示すように、画像記録装置１０は、ＣＰＵ８１、ＲＯＭ８２、ＲＡＭ８３、ＥＥＰＲＯＭ８７、プリンタ部２０、スキャナ部３０、操作パネル部４０、及び、スロット部５０を主に有している。
【００２８】
ＣＰＵ８１、ＲＯＭ８２、及び、ＲＡＭ８３は、バスライン８４を介して互いに接続されている。また、プリンタ部２０、スキャナ部３０、操作パネル部４０、及び、バスライン８４は、入出力ポート（ＡＳＩＣ）８５を介して互いに接続されている。
【００２９】
ＣＰＵ８１は、ＲＯＭ８２やＲＡＭ８３に記憶さている固定値やプログラムに従って、画像記録装置１０が有している各機能の制御や、入出力ポート８５と接続された各部を制御するものである。尚、ＣＰＵ８１は、本発明の制御部の一例である。
【００３０】
ＲＯＭ８２は、画像記録装置１０で実行される制御プログラムなどを格納した書換不能なメモリである。例えば、図４のフローチャートに示す記録ディスクＤのレーベル面に画像を記録するレーベル記録モードと、その記録ディスクＤのレーベル面に記録する画像を用紙Ｐに記録して画像を確認するお試し記録モードとを備えるメイン処理、図５のお試し記録モードにおいて、レーベル画像データＲＧとジャケット画像データＪＧを生成し、集約画像データＳＧを生成するお試し記録モード処理は、このＲＯＭ８２に格納されている。
【００３１】
また、ＲＯＭ８２は、レーベルフレームメモリ８２ａと、ジャケットフレームメモリ８２ａとが設けられている。レーベルフレームメモリ８２ａには、記録ディスクのサイズに合わせた円形のフレームデータが格納されており、例えば、後述する、図９に示すような、レーベルフレームＲＦが格納されている。このレーベルフレームＲＦは、記録ディスクの直径が１２０ｍｍの場合のものだが、レーベルフレームメモリ８２ａには、直径が８０ｍｍのものも格納されている。
【００３２】
ジャケットフレームメモリ８２ａには、記録ディスクを収納するケースに使用されるジャケットのサイズに合わせた四角形のフレームデータが格納されており、例えば、後述する、図１１に示すような、ジャケットフレームＪＦが格納されている。このレーベルフレームＪＦは、直径が１２０ｍｍの記録ディスクを収納するケースの場合のものであるが、レーベルフレームメモリ８２ａには、直径が８０ｍｍの記録ディスクを収納するケースのものも格納されている。
【００３３】
ＲＡＭ８３は、ＣＰＵ８１が各プログラムを実行する際に用いる各種データを一時的に記憶する記憶領域として、また作業領域として用いられる。またＲＡＭ８３には、使用画像データメモリ８３ａ、レーベル画像データメモリ８３ｂ、ジャケット画像データ８３ｃ、集約画像データメモリ８３ｄ、用紙サイズメモリ８３ｅの各記憶領域が割り当てられている。
【００３４】
使用画像データメモリ８３ａは、記録ディスクＤに記録する画像を生成するための画像データを一時的に記憶する領域である。レーベル画像データメモリ８３ｂは、記録ディスクＤのレーベル面に記録したい円形のレーベル画像データＲＧを一時的に記憶する領域である。ジャケット画像データメモリ８３ｃは、記録ディスクＤを収納するケースのジャケットに使用するジャケット画像データＪＧを一時的に記憶する領域である。集約画像データメモリ８３ｄは、お試し記録モードにおいて、記録ディスクＤのレーベル面に記録する画像を確認するために用紙Ｐに記録する集約画像データＳＧを一時的に記憶する領域である。用紙サイズメモリ８３ｅは、お試し記録モードにおいて、画像が記録される用紙サイズを一時的に記憶する領域である。
【００３５】
ＥＥＰＲＯＭ８７は、電源オフ後も保持すべき設定やフラグ等を格納する。例えば、スロット部５０から取り込まれた画像データを保存できる。これにより、一度取り込んだ画像データを繰り返し使用することができる。
【００３６】
入出力ポート８５は、ＣＰＵ８１からの指令に従い、接続されているプリンタ部２０等の周辺機器を制御するものである。
【００３７】
プリンタ部２０は、入出力ポート８５からの画像記録指令信号により、記録媒体（記録用紙Ｐ又は記録ディスクＤ）に画像を記録する。スキャナ部３０は、入出力ポート８５からの読取指令信号により、原稿の画像を読み取り、読み取った画像データを入出力ポート８５に出力する。操作パネル部４０は、入出力ポート８５からの検知指令信号により、操作パネル部４０の操作キー部４１の操作状態を検知し、その検知された操作データを入出力ポート８５に出力する。また、操作パネル部４０は、入出力ポート８５からの指示命令信号により、表示部４２に画像表示データを供給する。スロット部５０は、入出力ポート８５からの読出命令信号により、小型メモリカードに記憶された画像データを読み出し、その読み出された画像データを入出力ポート８５に出力する。
【００３８】
＜実施形態の動作＞
次に、本実施形態の画像記録装置１０の動作について、図４乃至図１１を参照して説明する。ここで、図６は、表示部４２に表示された画像データＧを示す図である。図７は、表示部４２に表示された画像データＧとトリミング範囲ＴＨとを示す図である。図８は、ＲＡＭ８３の使用画像データメモリ８３ａに記憶されている、トリミング画像データＴＧを概念的に示す図である。図９は、トリミング画像データＴＨから生成されるレーベル画像データＲＧの生成方法を概念的に示す図である。図１０は、ＲＡＭ８３のレーベル画像データメモリ８３ｂに記憶されている、レーベル画像データＲＧを概念的に示す図である。図１１は、トリミング画像データＴＨから生成されるジャケット画像データＪＧの生成方法を概念的に示す図である。図１２は、ＲＡＭ８３のジャケット画像データメモリ８３ｃに記憶されている、ジャケット画像データＪＧを概念的に示す図である。図１３は、ＲＡＭ８３の集約画像データメモリ８３ｄに記憶されている、集約画像データＳＧを概念的に示す図である。図１４（ａ）は、レーベル画像データメモリ８３ｂに記憶されているレーベル画像データＲＧが、お試し記録モードにおいて用紙Ｐに記録された内容を概念的に示す図である。図１４（ｂ）は、集約画像データメモリ８３ｄに記憶されている集約画像データＳＧが、お試し記録モードにおいて用紙Ｐに記録された内容を概念的に示す図である。
【００３９】
（メイン処理）
まず、図４を参照して、画像記録装置１０のＣＰＵ８１により実行されるメイン処理について説明する。図４は、画像記録装置１０のメイン処理を示すフローチャートである。このメイン処理は、ユーザによる操作パネル部４０の操作を介して、プリンタ機能、スキャナ機能、及び、コピー機能等の各種機能、プリント機能が選択された場合に実行される処理である。特に、メイン処理では、お試し記録モードにおいて、記録ディスクＤのレーベル面に記録するレーベル画像データと記録ディスクＤを収納するケースのジャケットとして使用するジャケット画像データとを１枚の用紙Ｐに記録することで、お試し記録時に発生していた余白を有効活用する処理を含んでいる。尚、本実施形態において、対象とされる記録ディスクＤのサイズは直径１２０ｍｍとする。
【００４０】
このメイン処理では、まず、レーベル記録モードが選択されたかが判断される（ステップ１、以下ステップをＳと記す）。本実施形態では、ユーザによってプリント機能が選択されると、表示部１６には、レーベル記録モード、通常記録モード等のプリント種別を選択する要求が表示され、その中からレーベル記録モードが選択されたかが判断される。レーベル記録モードが選択されない場合には（Ｓ１：ＮＯ）、本メイン処理は終了する。
【００４１】
一方、レーベル記録モードが選択されると（Ｓ１：ＹＥＳ）、記録ディスクＤのレーベル面に記録するレーベル画像として使用する画像データの候補が表示部４２に表示される。（Ｓ２）。表示される画像データとは、前述したように、小型メモリカードに格納されている画像や、スキャナ部３０で原稿から読み取った画像や、ＥＥＰＲＯＭ８７に記憶されている画像である。
【００４２】
その表示部４２により表示されている画像データの中からレーベル画像として使用する画像データが選択されるまで待機し（Ｓ３：ＮＯ）、画像データが選択されると（Ｓ３：ＹＥＳ）、その選択された画像データが表示部４２に表示される（Ｓ４）。本実施形態においては、ステップＳ３において、図６に示す画像データ６が選択され、表示部４２に表示されたとする。
【００４３】
次に、表示部４２に表示されている画像データＧに対して、トリミング処理が選択されたか否かが判断される（Ｓ５）。トリミング処理が選択されると（Ｓ５：ＹＥＳ）、図７に示すように、表示部４２の画像データＧ上にトリミング範囲ＴＨが表示される。操作キー部４１をユーザが操作することによって、トリミング範囲ＴＨの移動や拡大・縮小を行うことができる。このようにして、図７に示す位置でトリミング範囲ＴＨがユーザによって指定されると、トリミング範囲ＴＨに囲まれた範囲のトリミング処理が行われる（Ｓ６）。トリミング処理によって切り取られた範囲から、図８に示すトリミング画像データＴＧが生成される（Ｓ７）。生成されたトリミング画像データＴＧが使用画像データメモリ８３ａに記憶される（Ｓ８）。トリミング処理が選択されなければ（Ｓ５：ＮＯ）、画像データＧが使用画像データメモリ８３ａに記憶される。尚、本実施形態において、この使用画像データメモリ８３ａに記憶されている画像データ全体の矩形範囲が記録ディスクＤのレーベル面に記録する範囲として設定される。また、使用画像データメモリ８３ａに記憶されている画像データは、トリミング画像データＴＧとする。
【００４４】
次に、記録ディスクＤのレーベル面に画像を記録するか、お試し記録モードとして用紙Ｐに画像を記録するかが判断される（Ｓ９）。お試し記録モードが選択されたと判断すると（Ｓ９：ＹＥＳ）、図５に示す、お試し記録モードにおいて用紙Ｐに記録されるレーベル画像データＲＧとジャケット画像データＪＧとを生成するお試し記録モード処理が実行される（Ｓ１０）。お試し記録モード処理の詳細については、後述する。
【００４５】
次に、ステップＳ１０において生成された画像データが表示部４２に表示されている。後述するが、表示部４２に表示されている画像データは図１０に示すレーベル画像データＲＧ、もしくは、図１３に示す集約画像データＳＧである。ユーザが操作パネル４０を介して「記録ＯＫ」を入力したか否かが判断される（Ｓ１１）。「記録ＯＫ」の入力がない場合には（Ｓ１１：ＮＯ）、ステップＳ４からの処理が繰り返され、「記録ＯＫ」の入力があった場合には（Ｓ１１：ＹＥＳ）、予め画像記録装置１０で設定されている画像を記録する用紙サイズがお試し記録モードにおいて適しているか否かを判断する（Ｓ１２）。表示部４２に表示されている画像がお試し記録モードとして用紙Ｐに記録される（Ｓ１２）。そして、本メイン処理を終了する。
【００４６】
尚、ステップＳ１２において用紙Ｐには、図１４（ａ）に示す直径１２０ｍｍのレーベル画像データＲＧが記録される、もしくは、図１４（ｂ）に示す、直径１２０ｍｍのレーベル画像データＲＧと、縦１２０ｍｍ、横１２０ｍｍのジャケット画像データＪＧとの集約画像データＳＧが記録される。
【００４７】
レーベル記録モードが選択されたと判断すると（Ｓ９：ＮＯ）、使用画像データメモリ８３ａに記憶されているトリミング画像データＴＧから記録ディスクＤのレーベル面に記録するレーベル画像データＲＧを生成する（Ｓ１３）。ここで、図９を参照して、レーベル画像データＲＧの生成方法について説明する。例えば、図９に示すように、座標をとり、使用画像データメモリ８３ａに記憶されているトリミング画像データＴＧの頂点座標をＸ１、Ｘ２、Ｘ３、Ｘ４とする。線Ｘ１−Ｘ４と線Ｘ２−Ｘ４との交点から中心座標Ｔ１を算出する。そしてレーベルフレームメモリ８２ａに記録媒体の大きさに合わせて記憶されているレーベルフレームＲＦの中心が中心座標Ｔ１に位置するように配置する。その配置されたレーベルフレームＲＦの領域から、図１０に示すレーベル画像データＲＧを所定のレーベルサイズに合わせて生成する。尚、本実施形態において、レーベルフレームＲＦの形状は、図９に示すように、中心部に円形の穴を有する輪形状となっている。
【００４８】
生成されたレーベル画像データＲＧをレーベル画像データメモリ８３ｂに記憶する（Ｓ１４）。レーベル画像データメモリ８３ｂに記憶されているレーベル画像データＲＧが表示部４２に表示される（Ｓ１５）。ユーザが操作パネル４０を介して「記録ＯＫ」を入力したか否かが判断される（Ｓ１６）。「記録ＯＫ」の入力がない場合には（Ｓ１６：ＮＯ）、ステップＳ４からの処理が繰り返され、「記録ＯＫ」の入力があった場合には（Ｓ１６：ＹＥＳ）、レーベルトレイＴＲが挿入されているか判断する（Ｓ１７）。レーベルトレイＴＲが挿入されていなければ、レーベルトレイＴＲを挿入するようにユーザに促し、レーベルトレイが挿入されるまで待機する（Ｓ１７：ＮＯ）。レーベルトレイが挿入されていれば記録ディスクＤのレーベル面にレーベル画像データＲＧを記録する（Ｓ１８）そして、本メイン処理を終了する。
【００４９】
（お試し記録モード処理）
画像記録装置１０のお試し記録モード処理の詳細について、図５を参照して説明する。図５は、ステップＳ１０にて実行されるお試し記録モード処理の詳細を示すフローチャートである。
【００５０】
このお試し記録モード処理では、まず、使用画像データ記録部８３ａに記憶されているトリミング画像データＴＧから、お試し記録モードにおいて用紙Ｐに記録されるレーベル画像データＲＧとジャケット画像データＪＧとが生成される（Ｓ３０）。尚、ステップＳ３０は、本発明の画像データ生成部の一例である。
【００５１】
ここで、図１１を参照して、ジャケット画像データＪＧの生成方法について説明する。尚、レーベル画像データＲＧの生成方法は上述したステップＳ１３において説明したので省略する。例えば、図１１に示すように、座標をとり、使用画像データメモリ８３ａに記憶されているトリミング画像データＴＧの頂点座標をＸ１、Ｘ２、Ｘ３、Ｘ４とする。線Ｘ１−Ｘ４と線Ｘ２−Ｘ４との交点から中心Ｔ１を算出する。そしてジャケットフレームメモリ８２ｂに記憶されているジャケットフレームＲＦの中心が中心座標Ｔ１に位置するように配置する。その配置されたレーベルフレームＲＦの領域から、図１２に示すジャケット画像データＪＧを所定のジャケットサイズに合わせて生成する。
【００５２】
生成されたレーベル画像データＲＧをレーベル画像データメモリ８３ｂに、ジャケット画像データＪＧをジャケット画像データメモリ８３ｃに記憶する（Ｓ３１）。
【００５３】
次に、お試し記録モードにおいて、画像データを記録する用紙サイズを設定する（Ｓ３２）。ここでユーザによって設定された用紙サイズが用紙サイズメモリ８３ｅに記憶される。本実施形態において、用紙サイズメモリ８３ｅに記憶されている用紙サイズはＡ４サイズとする。
【００５４】
用紙サイズメモリ８３ｅに記憶されている用紙サイズから、レーベル画像データＲＧとジャケット画像データＪＧとを記録して納まるか否かが判断される（Ｓ３３）。すなわち、レーベル画像データＲＧは直径１２０ｍｍの円形、ジャケット画像データＪＧは１２０ｍｍ×１２０ｍｍの四角形で出力されるので、用紙サイズは最低でも２４０ｍｍ×１２０ｍｍは必要となる。例えば、ステップＳ３２において、ユーザが設定した用紙サイズがＡ４サイズ（２９７ｍｍ×２１０ｍｍ）だった場合は、レーベル画像データＲＧとジャケット画像データＪＧとが１枚の用紙Ｐに納めることができる（Ｓ３３：ＹＥＳ）。よって、ステップＳ３４に進む。しかし、設定されている用紙サイズがＡ５サイズ（２１０ｍｍ×１４８ｍｍ）だった場合は、レーベル画像データＲＧとジャケット画像データＪＧとが１枚の用紙Ｐに納めることができない（Ｓ３３：ＮＯ）。よって、ステップＳ３７に進み、レーベル画像データＲＧを表示部４２に表示し（Ｓ３８）、お試し記録モード処理を終了する。
【００５５】
ステップＳ３３において、レーベル画像データＲＧとジャケット画像データＪＧとが１枚の用紙Ｐに納めることができると判断された場合は（Ｓ３３：ＹＥＳ）、お試し記録モードにおいて、用紙Ｐにレーベル画像データＲＧとジャケット画像データＪＧとを記録するか否かが判断される（Ｓ３４）。レーベル画像データＲＧとジャケット画像データＪＧとを記録すると判断された場合は（Ｓ３４：ＹＥＳ）、レーベル画像データＲＧとジャケット画像データＪＧとが同じ用紙Ｐ上に記録されるように、図１３に示す、集約画像データＳＧを作成する（Ｓ３５）。尚、ステップＳ３５は、本発明の集約部の一例である。
【００５６】
ここで、図１３を参照して、ステップＳ３４における集約画像データＳＧの作成方法について説明する。ステップＳ３４においては、まず、用紙サイズメモリ８３ｅに記憶されている用紙サイズからレーベル画像データＲＧとジャケット画像データＪＧとの用紙Ｐ上での配置位置を算出する。図１３に示すように、座標をとり、用紙Ｐの頂点座標をＹ１、Ｙ２、Ｙ３、Ｙ４とする。次に、線Ｙ１−Ｙ３の中点座標Ｙ５、線Ｙ２―Ｙ４の中点座標Ｙ６を算出する。線Ｙ１−Ｙ６と線Ｙ２−Ｙ５との交点から中心座標Ｔ２を算出する。また、線Ｙ３−Ｙ６と線Ｙ４−Ｙ５との交点から中心座標Ｔ３を算出する。この算出された中心座標Ｔ２に、レーベル画像データメモリ８３ｃに記憶されているレーベル画像データＲＧの中心が位置するように配置され、中心座標Ｔ３に、ジャケット画像データメモリ８３ｄに記憶されているジャケット画像データＪＧの中心が位置するように配置される。即ち、レーベル画像データＲＧとジャケット画像データＪＧとが、用紙Ｐに対して算出された各位置に記録されるように配置されて集約画像データＳＧとして作成される。
【００５７】
集約画像データＳＧを集約画像データメモリ８３ｄに記憶する（Ｓ３６）。集約画像データＳＧを表示部４２に表示し（Ｓ３７）、お試し記録モード処理を終了する。レーベル画像データＲＧのみを記録すると判断された場合は（Ｓ３４：ＮＯ）、レーベル画像データＲＧを表示部４２に表示し（Ｓ３８）、お試し記録モード処理を終了する。
【００５８】
上述したが、ステップＳ１０のお試し記録モード処理が終了すると、ステップＳ１１に進み、ステップＳ１０のお試し記録モード処理で生成された画像データが、お試し記録モードとして用紙Ｐに記録される処理が行われる。
【００５９】
本実施形態に基づき本発明を説明したが、本発明は上述した実施形態に何ら限定されるものではなく、本発明の趣旨を逸脱しない範囲内で種々の改良変更が可能であることは容易に推察できるものである。
【００６０】
本実施形態では、お試し記録モードにおいて、集約画像データＳＧを記録する用紙サイズをＡ４サイズとしたが、レーベル画像データＲＧとジャケット画像データＳＧとが納まる用紙サイズであれば良い。例えば、Ｂ５（２５７ｍｍ×１８２ｍｍ）、Ｂ４（３６４ｍｍ×２５７ｍｍ）等の用紙サイズでも良い。
【００６１】
本実施形態では、お試し記録モードにおいて、用紙Ｐに記録されるレーベル画像データのサイズを直径１２０ｍｍとしたが、これに限定されるものではない。例えば、ユーザによってサイズを調整することができ、直径１１６ｍｍ、１１８ｍｍ等のサイズも設定できる。また、直径だけでなく、上述した中心部の円形の穴のサイズも調節し設定できる。
【００６２】
本実施形態では、お試し記録モードにおいて、用紙Ｐに記録されるジャケット画像データのサイズ（縦×横）を１２０ｍｍ×１２０ｍｍとしたが、これに限定されるものではない。例えば、ユーザによってサイズを調整することができ、１１６×１１８ｍｍ、１１８ｍｍ×１１８ｍｍ等のサイズも設定できる。
【符号の説明】
【００６３】
１０    画像記録装置
２０    プリンタ部
３０    スキャナ部
４０    操作パネル部
４２    表示部
５０    スロット部
８１    ＣＰＵ
８３ａ  使用画像データメモリ
８３ｄ  集約画像データメモリ
Ｄ      記録ディスク
ＲＧ    レーベル画像データ
ＪＧ    ジャケット画像データ
ＳＧ    集約画像データ
Ｓ１０  お試し記録モード処理
【図１】
2010226281.tif 000003
【図２】
2010226281.tif 000004
【図３】
2010226281.tif 000005
【図４】
2010226281.tif 000006
【図５】
2010226281.tif 000007
【図６】
2010226281.tif 000008
【図７】
2010226281.tif 000009
【図８】
2010226281.tif 000010
【図９】
2010226281.tif 000011
【図１０】
2010226281.tif 000012
【図１１】
2010226281.tif 000013
【図１２】
2010226281.tif 000014
【図１３】
2010226281.tif 000015
【図１４】
2010226281.tif 000016